(57)【要約】【課題】  調整作業を容易に行うことができる、高さ方向への小型化が図られた圧着装置を提供する。【解決手段】  それぞれ調整ダイヤルを有する、端子に圧着される電線の芯線部分の圧着高さ調整機構および電線の絶縁被覆部分の圧着高さ調整機構を備え、芯線部分が向く方向とは逆の方向に前面を有する圧着装置において、  高さ方向の異なる位置に両調整機構それぞれが配置されていたことに伴い高さ方向の異なる位置にそれぞれの調整ダイヤルが配置されていた従来と比べ、高さ方向の小型化を図ることができるように、両調整機構を同軸上に配置することでそれぞれの調整ダイヤルも同軸上に配置した。【選択図】        図３
2005063858.tif 000002
【特許請求の範囲】
【請求項１】
それぞれ調整ダイヤルを有する、端子に圧着される電線の芯線部分の圧着高さ調整機構および前記電線の絶縁被覆部分の圧着高さ調整機構を備え、該芯線部分が向く方向とは逆の方向に前面を有する圧着装置において、
両調整機構が、同軸上に配置されたものであって、
両調整機構の調整ダイヤルが、前記前面に配置されたものであることを特徴とする圧着装置。
【発明の詳細な説明】
【技術分野】
【０００１】
本発明は、端部がストリップされた電線の、芯線部および絶縁被覆部に端子を圧着する際の、それぞれの圧着高さの調整を行なう調整機構を備えた圧着装置に関する。
【背景技術】
【０００２】
従来より、端部がストリップされた電線の、芯線部および絶縁被覆部に端子を圧着する際の、それぞれの部分の圧着高さを調整する調整機構を備えた圧着装置が知られている（例えば、特許文献１参照。）。
【０００３】
ところが、特許文献１に示す圧着装置では、芯線部分の圧着高さ調整機構および絶縁被覆部の圧着高さ調整機構を操作するには、所定の締結箇所を一旦緩める等の作業が必要となるため高さ調整に時間がかかるという問題がある。
【０００４】
そこで、この問題を解決する装置として、２つの高さ調整機構をそれぞれ操作するために２個のダイヤルを備えた圧着装置が提案されている（例えば、特許文献２参照。）。
【０００５】
図１は、特許文献２に示される圧着装置の主要部の正面図である。
【０００６】
特許文献２の圧着装置１は、装置前面に、芯線部分の圧着高さ調整機構および絶縁被覆部分の圧着高さ調整機構を操作するためのダイヤルを備えたものであり、図１に示すように、圧着の際に必要な力を生み出す原動力部と、この原動力部で生み出された力を受け取り、端子の圧着を行なうアプリケータとからなる。
【０００７】
図１には、そのアプリケータ２０、および、原動力部の構成要素であり、原動力部で生み出された力をアプリケータ２０に伝達するプレスラム１１が示されている。
【０００８】
アプリケータ２０は、機枠２１、アンビル体２２、および土台２３で構成され、機枠２１には、一対の垂直レール２４が固定され、揺動棹２６が軸２６ａによって機枠２１に軸支されている。アンビル体２２と協働して電線のストリップ部３０ａ（図２参照）に端子を圧着する工具ラム２５は、垂直レール２４に案内されて昇降する。
【０００９】
工具ラム２５は、前述したプレスラム１１に連結されており、工具ラム２５の側部２５ａには、カムローラ２５ｂが軸２５ｃによって軸支されており、このカムローラ２５ｂは、揺動棹２６に設けられたカム溝２６ｂに嵌め込まれている。これにより、工具ラム２５が昇降する際には、揺動棹２６は、軸２６ａの周りを揺動することとなる。揺動棹２６の下方には、プレート２８が取り付けられており、このプレート２８には、端子ガイドレール２３ａの向こう側に置かれた連鎖端子ｎに先端部分が係止する送り爪２７が軸２７ｂによって軸支されている。
【００１０】
図２は、図１に示す圧着装置の主要部の側面図である。
【００１１】
図２に示す端子ｎ１は、接触部ｎ１１と電線３０の被覆を掴むインスレーションバレルｎ１２と芯線３２を掴むワイヤバレルｎ１３とからなり、多数の端子ｎ１がキャリアｎ１４に連結されて連鎖端子ｎを構成する。図１にも示す工具ラム２５のクリンパ部２５ｄは、カットオフパンチ２５１ｄと、インスレーションバレルｎ１２を圧着するインスレーションクリンパ２５２ｄと、ワイヤバレルｎ１３を圧着するワイヤクリンパ２５３ｄとからなる。
【００１２】
この圧着装置１では、後述する、送り爪２７の動作により、キャリアｎ１４に複数連結された連鎖端子ｎのうちのアンビル体２２に最も近い端子ｎ１がアンビル体２２上に載せられ、さらに、端部に予めストリップ部３０ａが形成された電線３０が、アンビル体２２に載せられた端子ｎ１上に置かれると、原動力部のプレスラム１１が降下し、このプレスラム１１と連結されている工具ラム２５も垂直レール２４に案内されて降下すると、この工具ラム２５とアンビル体２２とによりキャリアｎ１４に端子を連結させている部分であるブリッジ部分ｎ１５が切断されるとともに、連鎖端子ｎから切り離された端子ｎ１とストリップ部３０ａとが圧着される。圧着が終了し工具ラム２５が上昇し始めると、揺動棹２６のカム溝２６ｂに沿ってカムローラ２５ｂも上昇し、揺動棹２６は軸２６ａの周りを反時計回りに揺動する。これにより、送り爪２７で連鎖端子ｎのうちのアンビル体２２に最も近い端の端子が再び端子ガイドレール２３ａに沿ってアンビル体２２上に載せられる。
【００１３】
図２に示すように、アンビル体２２は、溝刃部２２１ａを有するフローティングシャー２２１とインスレーションアンビル２２２とワイヤアンビル２２３とからなり、工具ラム２５が垂直レール２４に案内されて降下すると、アンビル体２２上に載せられた端子ｎ１のブリッジｎ１５は、カットオフパンチ２５１ｄとフローティングシャー２２１の溝刃部２２１ａとによって切断され、電線３０の被覆３１とインスレーションバレルｎ１２との圧着はインスレーションクリンパ２５２ｄとインスレーションアンビル２２２とによって行なわれる。また、電線３０の芯線３２とワイヤバレルｎ１３との圧着はワイヤクリンパ２５３ｄとワイヤアンビル２２３とによって行なわれる。
【００１４】
ここで、図１および図２に示す圧着装置１では、芯線部分の圧着高さおよび被覆部分の圧着高さの調整が、インスレーションクリンパ２５２ｄおよびワイヤクリンパ２５３ｄの下死点位置を変更することでなされている。圧着装置１におけるこの下死点位置の変更は、図１および図２に示すダイヤル４０、５０を回動させることで行なわれており、上方に示されるダイヤル５０がワイヤクリンパ用であり、下方に示されるダイヤル４０がインスレーションクリンパ用である。
【特許文献１】特開平７−６８４９号公報
【特許文献２】実開平７−２７０８６号公報
【発明の開示】
【発明が解決しようとする課題】
【００１５】
ところで、近年の小型化の要請は、電線のストリップ部に端子を圧着する圧着装置にも及んでおり、特許文献２に示す圧着装置１によれば、両調整機構の調整作業はダイヤル操作によって簡単に行なうことができるものの、高さ方向への小型化に対応することが困難である。
【００１６】
本発明は、上記事情に鑑み、調整作業を容易に行うことができる、高さ方向への小型化が図られた圧着装置を提供することを目的とする。
【課題を解決するための手段】
【００１７】
上記目的を達成するための本発明の圧着装置は、
それぞれ調整ダイヤルを有する、端子に圧着される電線の芯線部分の圧着高さ調整機構および上記電線の絶縁被覆部分の圧着高さ調整機構を備え、この芯線部分が向く方向とは逆の方向に前面を有する圧着装置において、
両調整機構が、同軸上に配置されたものであって、
両調整機構の調整ダイヤルが、上記前面に配置されたものであることを特徴とする。
【００１８】
本発明の圧着装置では、上記調整ダイヤルが作業者の立ち位置に向いて配置されているため、圧着高さ調整の作業を容易に行うことができる。また、芯線部分の圧着高さ調整機構および絶縁被覆部分の圧着高さ調整機構が同軸上に配置されていることで、これら２つの調整機構それぞれの調整ダイヤルも同軸上に配置されている。したがって、本発明の圧着装置によれば、高さ方向の異なる位置にそれぞれの調整ダイヤルが配置されていた従来の圧着装置に比べ、高さ方向の小型化を図ることができる。
【発明の効果】
【００１９】
本発明の圧着装置によれば、調整作業を容易に行うことができると共に、高さ方向への小型化を図ることができる。
【発明を実施するための最良の形態】
【００２０】
以下、本発明の実施形態について説明する。
【００２１】
図３は、本発明の圧着装置の一実施形態の外観斜視図である。
【００２２】
図３には、本発明の圧着装置の一実施形態である圧着装置１００が示されており、この圧着装置１００は、プレスラム１１を駆動する原動力部を含む筐体部１０１と、この筐体部１０１に取り付けられた、プレスラム１１からの力を用いて、電線端部のストリップ部分に端子を圧着するアプリケータ部１０２とからなる。
【００２３】
図４は、図３に示す圧着装置のうちのアプリケータ部を装置前面から見た場合の概略構成図である。
【００２４】
図４に示すアプリケータ部１０２では、紙面左側から不図示の端子が供給され、紙面手前側から、先端がストリップされ芯線が露出した電線（不図示）が供給される。このアプリケータ部１０２では、詳細は後述するが、芯線部分の圧着高さ調整機構および絶縁被覆部分の圧着高さ調整機構の双方が、図４に示すダイヤル１４０の同軸上に配置されている。
【００２５】
図４に示すアプリケータ部１０２は、主に、機枠１２１、この機枠１２１に対し昇降する工具ラム１２５、アンビル体１２２、および土台１２３で構成されている。機枠１２１には、垂直レール１２４が取り付けられており、工具ラム１２５はこの垂直レール１２４に沿って昇降する。
【００２６】
機枠１２１には、長孔１３０ａが設けられた側プレート１３０も取り付けられている。また、この機枠１２１と、図４の左側に位置する筐体部１０１（図３）に取り付けられている支持部材１３３との間にはシャフト１３２が備えられている。
【００２７】
シャフト１３２には、不図示のカムフォロアが立設されていると共に、このカムフォロアは工具ラム１２５の所定の面に設けられたカム溝と係合され、この工具ラム１２５の昇降に応じて、このシャフト１３２が図４における左右方向に往復移動できるようになっている。
【００２８】
連鎖端子ｎのうちのアンビル体１２２に最も近い端子を１つずつアンビル体１２２に送り込む送り爪部１２７のアーム１２７ｂは、シャフト１３２に連結されていると共に、長孔１３０ａを貫通する軸１２７１ｂを有している。側プレート１３０には、長孔１３０ａの中心部分に、中心部１３１ａと外周部１３１ｂとからなる複合ナット１３１が固着されている。アーム１２７ｂの軸１２７１ｂは、その先端部分が複合ナット１３１の中心部１３１ａに圧入されている。複合ナット１３１の中心部１３１ａは、外周部１３１ｂに対して回動自在になっており、工具ラム１２５の昇降によってシャフト１３２が図４における左右方向に移動すると、アーム１２７ｂも複合ナット１３１の中心部１３１ａを中心に回動し、このアーム１２７ｂに連結された連結部１２７ａを介して爪１２７ｃがアンビル体１２２に向けて端子を送り込む。
【００２９】
図４には、また、工具ラム１２５の上端側に、同軸上に設けられた２つのダイヤルのうちの１つであるワイヤダイヤル１４０が示されているほか、ダイヤルの直下には、カットオフパンチ１２５１ｄ、インスレーションクリンパ１２５２ｄ等からなる、アンビル体１２２と協働して圧着を行なうクリンパ部１２５ｄも示されている。
【００３０】
アンビル体１２２には、カットオフパンチ１２５１ｄと協働して連鎖端子から端の端子を切り取るフローティングシャー１２２１の他、図４には図示されていないがインスレーションクリンパ１２５２ｄと協働して圧着を行なうインスレーションアンビルなどが備えられている。また、図４には、アンビル体１２２の上方に、電線の位置決めのために、ストリップされた電線の芯線の先端が当接される当接板１２６も示されている。
【００３１】
図５は、工具ラムの分解図である。
【００３２】
図５には、工具ラム１２５を構成する部品が示されており、図５の下側には、本体部１２５０の下方に６角ネジ１２５１によって取り付けられているカットオフパンチ１２５２、インスレーションクリンパ１２５３、平ワッシャ１２５６、スペーサ１２５７、およびワイヤクリンパ１２５４が示されている。また、図５の中ほどには、本体部１２５０の中段にネジ１２５８によって取り付けられているクリンパサポート１２５５が示され、図５の上側には、本体部１２５０の上側に設けられた穴１２５０ａに、スプリング１６０およびインスレーションダイヤル１５０を貫通して嵌め込まれるワイヤダイヤル１４０が示されている。この穴１２５０ａの真上には、ピン１２５９が挿入されている。
【００３３】
また、本体部１２５０の真上には、穴１２５０ａの底部に嵌め込まれている、プランジャを構成するピン１２６１およびスプリング１２６０が示されている。尚、ワイヤクリンパ１２５４の上面１２５４ａは、クリンパサポート１２５５の顎部１２５５ｂの下に当接するようになっている。また、平ワッシャ１２５６の厚みは、インスレーションクリンパ１２５３の厚みよりも厚く、この平ワッシャ１２５６は、インスレーションクリンパ１２５３の中央付近に設けられている長孔１２５３ａに落とし込まれる。こうすることで、インスレーションクリンパ１２５３は、本体部１２５０に対し上下方向について移動自在なものになる。
【００３４】
ワイヤダイヤル１４０は、略円柱状のものであり、前面側の数字が記載された文字盤１４０ａを除く本体部分の外周面は、文字盤側から、コイルスプリング１６０およびインスレーションダイヤル１５０によって囲まれる部分１４１と、クリンパサポート１２５５の突出部１２５５ａが嵌め込まれる、全周に渡って彫り込まれた溝である嵌入部分１４２と、その円周中心までの距離が外周上の位置によって異なるように彫り込みがなされている多面体部分１４３とで構成されており、多面体部分１４３を構成する各面１４３ａの中央部分には、この多面体部分１４３のうち選択された面を固定するためにプランジャのピン１２６１が嵌入する浅い円錐形状の穴１４４が各面に対応して設けられている。
【００３５】
また、インスレーションダイヤル１５０は、背の低い略円筒状のものであり、外周面が多面体となっている。インスレーションダイヤル１５０の中心軸から内周面までの距離は同じだが、外周面までの距離は周方向の位置によって異なっている、つまり、肉厚が位置によって異なっている。尚、インスレーションダイヤル１５０の回動は、コイルスプリング１６０の付勢に抗して、このインスレーションダイヤル１５０をワイヤダイヤル１１４０の文字盤側に引き寄せながら行なうが、このインスレーションダイヤル１５０を引き寄せたときに、工具ラム１２５の本体１２５０から多少突起しているピン１２５９をインスレーションダイヤル１５０の端部の谷１５１に嵌め込むことでその回動位置を安定させている。
【００３６】
以下、本実施形態において同軸上に備えられている、芯線部分の圧着高さ調整機構および絶縁被覆部分の圧着高さ調整機構について図６を用いて説明する。
【００３７】
図６は、工具ラムの上端付近の、一部側面図を含む略断面図である。尚、ここでは、クリンパ部分については側面図で示されている。
【００３８】
図６には、工具ラム１２５の上端付近を圧着装置の前面の右９０°方向から見た場合の略断面図が示されており、ここには、ワイヤダイヤル１４０の断面の上下にインスレーションダイヤル１５０の断面が示されているほか、このインスレーションダイヤル１５０の外周面にインスレーションクリンパ１２５３の上面１２５３ｂが当接している様子が示されている。
【００３９】
また、図６には、ワイヤダイヤル１４０の外周面の嵌入部分１４２に、クリンパサポート１２５５の突出部１２５５ａが嵌め込まれ、このクリンパサポート１２５５の顎部１２５５ｂとワイヤクリンパ１２５４の上面１２５４ａが当接している様子が示されている。
【００４０】
圧着装置１では、工具ラム１２５の上部の空間１２５ａに遊嵌されたプレスラム１１（図３参照）の昇降によって工具ラム１２５も昇降するが、プレスラム１１の下降の際には、このプレスラム１１にぶら下がった状態の工具ラム１２５に取り付けられているクリンパ等が下方の端子に接触することでまず下降が減速する。しかし、プレスラム１１は、その後もさらに所定の下死点まで下降を続け、そのときワイヤダイヤル１４０において選択されていた面１４３ａを下方側に押すことになる。このときに端子は電線のストリップ部分に圧着されることとなり、電線の被覆部分の圧着高さの調整および電線の芯線部分の圧着高さの調整は、これらの圧着を担当するインスレーションクリンパ１２５３およびワイヤクリンパ１２５４の下死点位置を変化させることで行なわれている。
【００４１】
まず、端子のうちのインスレーションバレルｎ１２（図２参照）部分を圧着するインスレーションクリンパ１２５３の下死点位置は、前述したように、インスレーションダイヤル１５０の肉厚が円周の部分によって異なっていることから、ダイヤルを回動させることで変更される。これにより、この部分の圧着高さを調整することができる。
【００４２】
一方、端子のうちのワイヤバレルｎ１３（図２参照）を圧着するワイヤクリンパ１２５４の下死点位置は、前述したように、ワイヤダイヤル１４０の彫り込み度合いが位置によって異なっていることから、ダイヤルを回動させることで変更される。これにより、この部分の圧着高さを調整することができる。
【００４３】
以上に説明したように、本実施形態の圧着装置１では、調整ダイヤルが作業者の立ち位置に向いて配置されているため、圧着高さ調整の作業を容易に行うことができる。また、芯線部分の圧着高さ調整機構および絶縁被覆部分の圧着高さ調整機構が同軸上に配置されていることで、高さ方向の異なる位置にそれぞれの調整ダイヤルが配置されていた従来の圧着装置に比べ、高さ方向の小型化を図ることができる。
【図面の簡単な説明】
【００４４】
【図１】特許文献２に示される圧着装置の主要部の正面図である。
【図２】図１に示す圧着装置の主要部の側面図である。
【図３】本発明の圧着装置の一実施形態の外観斜視図である。
【図４】図３に示す圧着装置のうちのアプリケータ部を装置前面から見た場合の概略構成図である。
【図５】工具ラムの分解図である。
【図６】工具ラムの上端付近の、一部側面図を含む略断面図である。
【符号の説明】
【００４５】
１１  プレスラム
１００  圧着装置
１０１  筐体部
１０２  アプリケータ部
１２１  機枠
１２２  アンビル体
１２３  土台
１２４  垂直レール
１２５  工具ラム
１２５０  本体部
１２５１  ６角ネジ
１２５２  カットオフパンチ
１２５３  インスレーションクリンパ
１２５４  ワイヤクリンパ
１２５５  クリンパサポート
１２５６  平ワッシャ
１２５７  スペーサ
１２５８  ネジ
１２５９、１２６１  ピン
１２６０  スプリング
１２６  当接板
１２７  送り爪部
１４０  ワイヤダイヤル
１４０ａ  文字盤
１４１  部分
１４２  嵌入部分
１４３  多面体部分
１４３ａ  面
１４４  穴
１５０  インスレーションダイヤル
１５１  谷
１６０  コイルスプリング
【図１】
2005063858.tif 000003
【図２】
2005063858.tif 000004
【図３】
2005063858.tif 000005
【図４】
2005063858.tif 000006
【図５】
2005063858.tif 000007
【図６】
2005063858.tif 000008